(57)【要約】  本開示の実施例は、アップリンク信号系列生成方法、端末、基地局およびコンピュータ読み取り可能な記憶媒体を提供する。当該方法において、【数３１６】2020533907.tif 000321に基づき、アップリンク信号系列【数３１７】2020533907.tif 000322を生成することと、位相【数３１８】2020533907.tif 000323の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することとを含む。【選択図】  図４
2020533907.tif 000002
【特許請求の範囲】
【請求項１】
【数２７６】
2020533907.tif 000281
に基づき、アップリンク信号系列
【数２７７】
2020533907.tif 000282
を生成することと、
位相
【数２７８】
2020533907.tif 000283
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することとを含む、アップリンク信号系列生成方法。
【請求項２】
前記アップリンク信号基本系列の
【数２７９】
2020533907.tif 000284
の値は、−３、１、−３、１、−３、−３、３、３、−１、−１、１、１である、請求項１に記載の方法。
【請求項３】
前記アップリンク信号基本系列の
【数２８０】
2020533907.tif 000285
の値は、−１、−３、−３、３、−３、３、−１、−３、−１、１、３、−３である、請求項１に記載の方法。
【請求項４】
前記アップリンク信号基本系列の
【数２８１】
2020533907.tif 000286
の値は、３、−１、３、−１、３、３、−１、−１、３、３、３、３である、請求項１に記載の方法。
【請求項５】
前記アップリンク信号基本系列の
【数２８２】
2020533907.tif 000287
の値は、−３、３、−１、−３、−１、−３、−３、３、−３、−１、１、３である、請求項１に記載の方法。
【請求項６】
前記アップリンク信号基本系列の
【数２８３】
2020533907.tif 000288
の値は、１、１、−１、−１、３、３、−３、−３、１、−３、１、−３である、請求項１に記載の方法。
【請求項７】
前記アップリンク信号基本系列の
【数２８４】
2020533907.tif 000289
の値は、１、−３、１、−３、１、１、３、３、−１、−１、−３、−３である、請求項１に記載の方法。
【請求項８】
前記アップリンク信号基本系列の
【数２８５】
2020533907.tif 000290
の値は、−１、−３、−１、１、−１、１、３、１、−１、１、−１、−３である、請求項１に記載の方法。
【請求項９】
前記アップリンク信号基本系列の
【数２８６】
2020533907.tif 000291
の値は、３、−１、１、−３、−３、１、−１、３、３、３、３、３である、請求項１に記載の方法。
【請求項１０】
前記アップリンク信号基本系列の
【数２８７】
2020533907.tif 000292
の値は、−１、１、１、３、１、３、−１、１、−１、−３、３、１である、請求項１に記載の方法。
【請求項１１】
前記アップリンク信号基本系列の
【数２８８】
2020533907.tif 000293
の値は、１、３、−１、１、−１、１、１、３、１、−１、−３、３である、請求項１に記載の方法。
【請求項１２】
前記アップリンク信号基本系列の
【数２８９】
2020533907.tif 000294
の値は、−１、３、１、−３、−３、１、３、−１、−１、−１、−１、−１である、請求項１に記載の方法。
【請求項１３】
前記アップリンク信号基本系列の
【数２９０】
2020533907.tif 000295
の値は、３、３、１、１、１、１、３、−３、１、−３、３、−１である、請求項１に記載の方法。
【請求項１４】
前記アップリンク信号基本系列の
【数２９１】
2020533907.tif 000296
の値は、１、１、１、−３、−３、−３、１、−３、−３、１、−３、−３である、請求項１に記載の方法。
【請求項１５】
前記アップリンク信号基本系列の
【数２９２】
2020533907.tif 000297
の値は、−１、１、３、−３、−１、−３、１、−１、１、−１、−１、−３である、請求項１に記載の方法。
【請求項１６】
前記アップリンク信号基本系列の
【数２９３】
2020533907.tif 000298
の値は、３、３、１、１、１、３、−３、１、−３、１、−１、３である、請求項１に記載の方法。
【請求項１７】
前記アップリンク信号基本系列の
【数２９４】
2020533907.tif 000299
の値は、１、−３、−３、−３、１、１、１、−３、１、１、−３、１である、請求項１に記載の方法。
【請求項１８】
前記アップリンク信号基本系列の
【数２９５】
2020533907.tif 000300
の値は、−３、−１、３、−３、−１、１、１、１、−１、−３、１、−１である、請求項１に記載の方法。
【請求項１９】
前記アップリンク信号基本系列の
【数２９６】
2020533907.tif 000301
の値は、３、１、１、−１、−３、３、−１、３、−３、−１、−１、１である、請求項１に記載の方法。
【請求項２０】
前記アップリンク信号基本系列の
【数２９７】
2020533907.tif 000302
の値は、−３、３、−１、−３、３、１、１、１、３、−３、１、３である、請求項１に記載の方法。
【請求項２１】
前記アップリンク信号基本系列の
【数２９８】
2020533907.tif 000303
の値は、１、−３、３、−１、３、−１、１、３、３、３、１、１である、請求項１に記載の方法。
【請求項２２】
前記アップリンク信号基本系列の
【数２９９】
2020533907.tif 000304
の値は、−３、−３、−３、−３、−３、１、−１、３、３、−１、１、−３である、請求項１に記載の方法。
【請求項２３】
前記アップリンク信号基本系列の
【数３００】
2020533907.tif 000305
の値は、−３、−３、−３、−３、１、−３、１、１、−３、−３、１、１である、請求項１に記載の方法。
【請求項２４】
前記アップリンク信号基本系列の
【数３０１】
2020533907.tif 000306
の値は、−３、−３、−１、−１、３、３、１、１、−３、１、−３、１である、請求項１に記載の方法。
【請求項２５】
前記アップリンク信号基本系列の
【数３０２】
2020533907.tif 000307
の値は、−１、−１、−１、−１、−１、３、−３、１、１、−３、３、−１である、請求項１に記載の方法。
【請求項２６】
前記アップリンク信号基本系列の
【数３０３】
2020533907.tif 000308
の値は、１、−３、−１、３、−１、３、１、−１、−１、−１、１、１である、請求項１に記載の方法。
【請求項２７】
前記アップリンク信号基本系列の
【数３０４】
2020533907.tif 000309
の値は、１、３、−１、１、３、３、３、１、−１、−３、１、−１である、請求項１に記載の方法。
【請求項２８】
前記アップリンク信号基本系列の
【数３０５】
2020533907.tif 000310
の値は、−３、−１、１、３、−３、３、３、１、３、１、−３、３である、請求項１に記載の方法。
【請求項２９】
前記アップリンク信号基本系列の
【数３０６】
2020533907.tif 000311
の値は、１、−３、３、−１、３、−３、−１、−１、−１、−１、−３、−３である、請求項１に記載の方法。
【請求項３０】
前記アップリンク信号基本系列の
【数３０７】
2020533907.tif 000312
の値は、−３、３、１、３、１、−１、１、３、１、３、−３、３である、請求項１に記載の方法。
【請求項３１】
前記アップリンク信号基本系列の
【数３０８】
2020533907.tif 000313
の値は、−３、−３、−１、−１、−１、−３、３、−１、３、−１、１、−３である、請求項１に記載の方法。
【請求項３２】
前記アップリンク信号基本系列の
【数３０９】
2020533907.tif 000314
の値は、−３、−３、３、１、−３、−３、−３、−１、３、−１、１、３である、請求項１に記載の方法。
【請求項３３】
前記アップリンク信号基本系列の
【数３１０】
2020533907.tif 000315
の値は、１、１、−１、−３、−３、−１、１、３、−１、３、１、−３である、請求項１に記載の方法。
【請求項３４】
前記アップリンク信号基本系列の
【数３１１】
2020533907.tif 000316
の値は、−３、１、−１、−３、３、３、３、−３、−３、−１、３、−３である、請求項１に記載の方法。
【請求項３５】
前記アップリンク信号基本系列の
【数３１２】
2020533907.tif 000317
の値は、３、１、１、−１、３、１、−３、１、３、−３、−１、−１である、請求項１に記載の方法。
【請求項３６】
前記アップリンク信号基本系列の
【数３１３】
2020533907.tif 000318
の値は、１、１、３、３、−１、−３、１、３、−１、−１、−３、−３である、請求項１に記載の方法。
【請求項３７】
前記アップリンク信号基本系列の
【数３１４】
2020533907.tif 000319
の値は、−１、−１、−１、−１、１、−３、−１、３、３、−１、−３、１である、請求項１に記載の方法。
【請求項３８】
前記アップリンク信号基本系列の
【数３１５】
2020533907.tif 000320
の値は、３、１、３、−３、３、−３、−１、−３、３、−３、３、１である、請求項１に記載の方法。
【請求項３９】
メモリと、プロセッサと、トランシーバと、メモリに記憶されてプロセッサで実行可能なプログラムを含む端末において、
前記プロセッサは、前記プログラムを実行すると、請求項１〜３８のいずれか一項に記載のアップリンク信号系列生成方法のステップを実現する、端末。
【請求項４０】
メモリと、プロセッサと、トランシーバと、メモリに記憶されてプロセッサで実行可能なプログラムを含む基地局において、
前記プロセッサは、前記プログラムを実行すると、請求項１〜３８のいずれか一項に記載のアップリンク信号系列生成方法のステップを実現する、基地局。
【請求項４１】
プログラムが記憶されているコンピュータ読み取り可能な記憶媒体であって、
当該プログラムがプロセッサによって実行されると、請求項１〜３８のいずれか一項に記載のアップリンク信号系列生成方法のステップが実現される、コンピュータ読み取り可能な記憶媒体。
【発明の詳細な説明】
【技術分野】
【０００１】
本開示は、通信技術分野に係り、特にアップリンク信号系列生成方法、端末、基地局およびコンピュータ読み取り可能な記憶媒体に係る。
＜優先権の主張＞
本願は、２０１７年９月１１日に中国特許庁に提出された中国特許出願２０１７１０８１３０４８．８の優先権、および、２０１７年９月３０日に中国特許庁に提出された中国特許出願２０１７１０９３８３０５．０の優先権を主張し、その全ての内容が援用によりここに取り込まれる。
【背景技術】
【０００２】
従来のＬＴＥ（Ｌｏｎｇ  Ｔｅｒｍ  Ｅｖｏｌｕｔｉｏｎ）システムにおいて、アップリンク参照シンボルは、１つの基本系列から、具体的に以下の生成式によって、異なるシフトを経て生成される。
【数１】
2020533907.tif 000003
【数２】
2020533907.tif 000004
は、参照シンボル系列の長さを示し、
【数３】
2020533907.tif 000005
は、１つのリソースブロックＲＢ（Ｒｅｓｏｕｒｃｅ  Ｂｌｏｃｋ）に対応するサブキャリア数を示し、たとえば１２である。異なるＵＥ（端末）は、
【数４】
2020533907.tif 000006
の値に応じて区分される。
【０００３】
基本系列
【数５】
2020533907.tif 000007
は、３０群に分けられ、
【数６】
2020533907.tif 000008
は、群番号を示し、
【数７】
2020533907.tif 000009
は、群内の基本系列番号を示す。基本系列
【数８】
2020533907.tif 000010
の生成方法は、系列の長さ
【数９】
2020533907.tif 000011
によって決められ、
【数１０】
2020533907.tif 000012
が
【数１１】
2020533907.tif 000013
より小さくなると、コンピュータによる検索で生成されるが、
【数１２】
2020533907.tif 000014
が
【数１３】
2020533907.tif 000015
以上であれば、Ｚａｄｏｆｆ−Ｃｈｕ系列によって生成される。
【０００４】
長さ
【数１４】
2020533907.tif 000016
の基本系列は、コンピュータによる検索で生成され、以下のように定義される。
【数１５】
2020533907.tif 000017
【０００５】
現在、
【数１６】
2020533907.tif 000018
に対し、すなわち長さが１２である場合、用いられる３０群の基本系列の
【数１７】
2020533907.tif 000019
の値は、以下の表に示される。
【０００６】
表１：ＬＴＥで
【数１８】
2020533907.tif 000020
に用いられる基本系列の
【数１９】
2020533907.tif 000021
の値
【表１】
2020533907.tif 000022
【０００７】
移動通信サービスのニーズの発展及び変化に伴い、ＩＴＵ（Ｉｎｔｅｒｎａｔｉｏｎａｌ  Ｔｅｌｅｃｏｍｍｕｎｉｃａｔｉｏｎｓ  Ｕｎｉｏｎ）などの複数の機構では、将来の移動通信システムについて、新規の無線通信システム（すなわち５Ｇ  ＮＲ（５  Ｇｅｎｅｒａｔｉｏｎ  Ｎｅｗ  ＲＡＴ））の研究を始めている。５Ｇでは、多種類の異なるアップリンクチャネル伝送フォーマットが提案されているが、パイロット信号伝送に用いられる基本系列、および、データの周波数領域スペクトル拡散に用いられる基本系列について、まだ明確な解決策が提案されていない。
【発明の概要】
【発明が解決しようとする課題】
【０００８】
上記の技術問題に鑑み、本開示の実施例は、アップリンク信号系列生成方法、端末、基地局およびコンピュータ読み取り可能な記憶媒体を提供することによって、ピーク対平均電力比および系列間の相関性を低下させ、信号伝送性能を向上させ、セルの異なる系列間の干渉を低下させる。
【課題を解決するための手段】
【０００９】
第１方面では、アップリンク信号系列生成方法を提供する。当該方法において、
【数２０】
2020533907.tif 000023
に基づき、アップリンク信号系列
【数２１】
2020533907.tif 000024
を生成することと、位相
【数２２】
2020533907.tif 000025
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することとを含む。
【００１０】
選択可能に、前記アップリンク信号基本系列の
【数２３】
2020533907.tif 000026
の値は、−３、１、−３、１、−３、−３、３、３、−１、−１、１、１である。
【００１１】
選択可能に、前記アップリンク信号基本系列の
【数２４】
2020533907.tif 000027
の値は、−１、−３、−３、３、−３、３、−１、−３、−１、１、３、−３である。
【００１２】
選択可能に、前記アップリンク信号基本系列の
【数２５】
2020533907.tif 000028
の値は、３、−１、３、−１、３、３、−１、−１、３、３、３、３である。
【００１３】
選択可能に、前記アップリンク信号基本系列の
【数２６】
2020533907.tif 000029
の値は、−３、３、−１、−３、−１、−３、−３、３、−３、−１、１、３である。
【００１４】
選択可能に、前記アップリンク信号基本系列の
【数２７】
2020533907.tif 000030
の値は、１、１、−１、−１、３、３、−３、−３、１、−３、１、−３である。
【００１５】
選択可能に、前記アップリンク信号基本系列の
【数２８】
2020533907.tif 000031
の値は、１、−３、１、−３、１、１、３、３、−１、−１、−３、−３である。
【００１６】
選択可能に、前記アップリンク信号基本系列の
【数２９】
2020533907.tif 000032
の値は、−１、−３、−１、１、−１、１、３、１、−１、１、−１、−３である。
【００１７】
選択可能に、前記アップリンク信号基本系列の
【数３０】
2020533907.tif 000033
の値は、３、−１、１、−３、−３、１、−１、３、３、３、３、３である。
【００１８】
選択可能に、前記アップリンク信号基本系列の
【数３１】
2020533907.tif 000034
の値は、−１、１、１、３、１、３、−１、１、−１、−３、３、１である。
【００１９】
選択可能に、前記アップリンク信号基本系列の
【数３２】
2020533907.tif 000035
の値は、１、３、−１、１、−１、１、１、３、１、−１、−３、３である。
【００２０】
選択可能に、前記アップリンク信号基本系列の
【数３３】
2020533907.tif 000036
の値は、−１、３、１、−３、−３、１、３、−１、−１、−１、−１、−１である。
【００２１】
選択可能に、前記アップリンク信号基本系列の
【数３４】
2020533907.tif 000037
の値は、３、３、１、１、１、１、３、−３、１、−３、３、−１である。
【００２２】
選択可能に、前記アップリンク信号基本系列の
【数３５】
2020533907.tif 000038
の値は、１、１、１、−３、−３、−３、１、−３、−３、１、−３、−３である。
【００２３】
選択可能に、前記アップリンク信号基本系列の
【数３６】
2020533907.tif 000039
の値は、−１、１、３、−３、−１、−３、１、−１、１、−１、−１、−３である。
【００２４】
選択可能に、前記アップリンク信号基本系列の
【数３７】
2020533907.tif 000040
の値は、３、３、１、１、１、３、−３、１、−３、１、−１、３である。
【００２５】
選択可能に、前記アップリンク信号基本系列の
【数３８】
2020533907.tif 000041
の値は、１、−３、−３、−３、１、１、１、−３、１、１、−３、１である。
【００２６】
選択可能に、前記アップリンク信号基本系列の
【数３９】
2020533907.tif 000042
の値は、−３、−１、３、−３、−１、１、１、１、−１、−３、１、−１である。
【００２７】
選択可能に、前記アップリンク信号基本系列の
【数４０】
2020533907.tif 000043
の値は、３、１、１、−１、−３、３、−１、３、−３、−１、−１、１である。
【００２８】
選択可能に、前記アップリンク信号基本系列の
【数４１】
2020533907.tif 000044
の値は、−３、３、−１、−３、３、１、１、１、３、−３、１、３である。
【００２９】
選択可能に、前記アップリンク信号基本系列の
【数４２】
2020533907.tif 000045
の値は、１、−３、３、−１、３、−１、１、３、３、３、１、１である。
【００３０】
選択可能に、前記アップリンク信号基本系列の
【数４３】
2020533907.tif 000046
の値は、−３、−３、−３、−３、−３、１、−１、３、３、−１、１、−３である。
【００３１】
選択可能に、前記アップリンク信号基本系列の
【数４４】
2020533907.tif 000047
の値は、−３、−３、−３、−３、１、−３、１、１、−３、−３、１、１である。
【００３２】
選択可能に、前記アップリンク信号基本系列の
【数４５】
2020533907.tif 000048
の値は、−３、−３、−１、−１、３、３、１、１、−３、１、−３、１である。
【００３３】
選択可能に、前記アップリンク信号基本系列の
【数４６】
2020533907.tif 000049
の値は、−１、−１、−１、−１、−１、３、−３、１、１、−３、３、−１である。
【００３４】
選択可能に、前記アップリンク信号基本系列の
【数４７】
2020533907.tif 000050
の値は、１、−３、−１、３、−１、３、１、−１、−１、−１、１、１である。
【００３５】
選択可能に、前記アップリンク信号基本系列の
【数４８】
2020533907.tif 000051
の値は、１、３、−１、１、３、３、３、１、−１、−３、１、−１である。
【００３６】
選択可能に、前記アップリンク信号基本系列の
【数４９】
2020533907.tif 000052
の値は、−３、−１、１、３、−３、３、３、１、３、１、−３、３である。
【００３７】
選択可能に、前記アップリンク信号基本系列の
【数５０】
2020533907.tif 000053
の値は、１、−３、３、−１、３、−３、−１、−１、−１、−１、−３、−３である。
【００３８】
選択可能に、前記アップリンク信号基本系列の
【数５１】
2020533907.tif 000054
の値は、−３、３、１、３、１、−１、１、３、１、３、−３、３である。
【００３９】
選択可能に、前記アップリンク信号基本系列の
【数５２】
2020533907.tif 000055
の値は、−３、−３、−１、−１、−１、−３、３、−１、３、−１、１、−３である。
【００４０】
選択可能に、前記アップリンク信号基本系列の
【数５３】
2020533907.tif 000056
の値は、−３、−３、３、１、−３、−３、−３、−１、３、−１、１、３である。
【００４１】
選択可能に、前記アップリンク信号基本系列の
【数５４】
2020533907.tif 000057
の値は、１、１、−１、−３、−３、−１、１、３、−１、３、１、−３である。
【００４２】
選択可能に、前記アップリンク信号基本系列の
【数５５】
2020533907.tif 000058
の値は、−３、１、−１、−３、３、３、３、−３、−３、−１、３、−３である。
【００４３】
選択可能に、前記アップリンク信号基本系列の
【数５６】
2020533907.tif 000059
の値は、３、１、１、−１、３、１、−３、１、３、−３、−１、−１である。
【００４４】
選択可能に、前記アップリンク信号基本系列の
【数５７】
2020533907.tif 000060
の値は、１、１、３、３、−１、−３、１、３、−１、−１、−３、−３である。
【００４５】
選択可能に、前記アップリンク信号基本系列の
【数５８】
2020533907.tif 000061
の値は、−１、−１、−１、−１、１、−３、−１、３、３、−１、−３、１である。
【００４６】
選択可能に、前記アップリンク信号基本系列の
【数５９】
2020533907.tif 000062
の値は、３、１、３、−３、３、−３、−１、−３、３、−３、３、１である。
【００４７】
第２方面では、メモリと、プロセッサと、トランシーバと、メモリに記憶されてプロセッサで実行可能なプログラムを含む端末をさらに提供する。前記プロセッサは、前記プログラムを実行すると、第１方面に記載のアップリンク信号系列生成方法のステップを実現する。
【００４８】
第３方面では、本開示は、メモリと、プロセッサと、トランシーバと、メモリに記憶されてプロセッサで実行可能なプログラムを含む基地局をさらに提供する。前記プロセッサは、前記プログラムを実行すると、第１方面に記載のアップリンク信号系列生成方法のステップを実現する。
【００４９】
第４方面では、本開示は、プログラムが記憶されているコンピュータ読み取り可能な記憶媒体をさらに提供する。当該プログラムがプロセッサによって実行されると、第１方面に記載のアップリンク信号系列生成方法のステップが実現される。
発明の効果
【００５０】
アップリンク信号基本系列の生成について新規の位相値の組み合わせを提案することによって、ピーク対平均電力比および系列間の相関性を低下させ、信号伝送性能を向上させ、セルの異なる系列間の干渉を低下させることができる。
【図面の簡単な説明】
【００５１】
【図１】本開示の実施例における無線通信システムのシステムアーキテクチャ図である。
【図２】本開示における基地局の構造図である。
【図３】本開示の実施例における携帯電話の構造図である。
【図４】本開示の実施例におけるアップリンク信号系列生成方法のフローチャートである。
【図５】本開示の実施例における端末の構造図その１である。
【図６】本開示の実施例における基地局の構造図その１である。
【図７】本開示の実施例における端末の構造図その２である。
【図８】本開示の実施例における基地局の構造図その２である。
【発明を実施するための形態】
【００５２】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５３】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。
【００５４】
本開示の実施例の明細書および特許請求の範囲における「第１」、「第２」などの用語は、異なる対象を区別するためのものであり、対象の特定な順番を記載するためのものではない。たとえば、第１配置情報、第２配置情報などは、異なる配置情報を区別するためのものであり、配置情報の特定な順番を記載するためのものではない。
【００５５】
本開示の実施例において、「例示的」または「たとえば」などの用語は、例として例証または説明することに用いられる。本開示の実施例において、「例示的」または「たとえば」などの用語で記載されるあらゆる実施例または設計手段は、ほかの実施例や設計手段に比較してより好適でありまたはより利点を有すると解釈されてはならない。適切に言えば、具体的な形態で関連概念を示すために、「例示的」または「たとえば」などの用語が使用されている。
【００５６】
本開示の実施例において、別途説明しない限り、「複数」の意味は、２以上を指す。たとえば、複数の処理ユニットは、２以上の処理ユニットを指し、複数のシステムは、２以上のシステムを指す。
【００５７】
本開示の実施例におけるアップリンク信号系列生成方法、基地局および端末は、無線通信システムに適用可能である。当該無線通信システムは、５Ｇ（５ｔｈ  Ｇｅｎｅｒａｔｉｏｎ）移動通信技術が用いられるシステム（以下、５Ｇシステムと略称する）であってもよい。図１を参照し、本開示の実施例における無線通信システムのアーキテクチャ図である。図１に示すように、当該無線通信システムは、ネットワーク機器１０と、ネットワーク機器１０とは通信可能なＵＥ１１を含む。実際の応用において、上記の各機器の間の接続は、無線接続であってもよい。各機器の間の接続関係は、より直観的に示すために、図１では実線で示されている。
【００５８】
なお、上記通信システムに複数のＵＥを含んでもよく、ネットワーク機器が複数のＵＥとは通信可能である（シグナリングの伝送またはデータの伝送）。
【００５９】
本開示の実施例におけるネットワーク機器は、基地局であってもよい。当該ネットワーク機器は、通常用いられる基地局であってもよく、ｅＮＢ（ｅｖｏｌｖｅｄ  ｎｏｄｅ  ｂａｓｅ  ｓｔａｔｉｏｎ）であってもよく、さらに５Ｇシステムのネットワーク機器（たとえばｇＮＢ（ｎｅｘｔ  ｇｅｎｅｒａｔｉｏｎ  ｎｏｄｅ  ｂａｓｅ  ｓｔａｔｉｏｎ））やＴＲＰ（ｔｒａｎｓｍｉｓｓｉｏｎ  ａｎｄ  ｒｅｃｅｐｔｉｏｎ  ｐｏｉｎｔ）などの機器であってもよい。例示的に、本開示の実施例は、通常用いられる基地局を例とし、ネットワーク機器のハードウェア構造を紹介する。以下、図２とともに、本開示の実施例における基地局の各構成部品を具体的に紹介する。図２に示すように、本開示の実施例における基地局は、２０の部分と２１の部分を含む。２０の部分は、主にラジオ周波数信号の送受信およびラジオ周波数信号とベースバンド信号の変換に用いられる。２１の部分は、主にベースバンド処理、基地局に対する制御などに用いられる。２０の部分は、通常、送受信ユニット、トランシーバ、送受信回路または送受信器などと称される。２１の部分は、通常、基地局の制御センタであり、通常処理ユニットと称され、上記図２の基地局（すなわちサービング基地局）によって実行されるステップを、基地局が実行するように制御することに用いられる。具体的に、上記の関連部分の記載を参照する。
【００６０】
２０の部分の送受信ユニットは、トランシーバや送受信器などと称されてもよく、アンテナと、主にラジオ周波数処理に用いられるラジオ周波数ユニットを含む。選択可能に、２０の部分のうち、受信機能を実現するためのデバイスを受信ユニット、送信機能を実現するためのデバイスを送信ユニットと見なしてもよい。つまり２０の部分は、受信ユニットと送信ユニットを含む。受信ユニットは、受信機、受信器または受信回路などと称されてもよく、送信ユニットは、送信機、送信器または送信回路などと称されてもよい。
【００６１】
２１の部分は、１つまたは複数のシングルボードを含む。各シングルボードは、１つまたは複数のプロセッサと、１つまたは複数のメモリを含む。プロセッサは、メモリの中のプログラムを読み取んで実行することによって、ベースバンド処理機能および基地局に対する制御を実現することに用いられる。複数のシングルボードが存在するのであれば、各シングルボードの間は、互いに接続して処理力を向上させることができる。選択可能な実施形態として、複数のシングルボードで１つまたは複数のプロセッサを共有し、または、複数のシングルボードで１つまたは複数のメモリを共有し、または、複数のシングルボードで同時に１つまたは複数のプロセッサを共有する。ここで、メモリとプロセッサは、一体に集積されてもよく、独立に設けられてもよい。一部の実施例において、２０の部分と２１の部分は、一体に集積されてもよく、独立に設けられてもよい。また、２１の部分は、すべての機能が１つのチップに集積されて実現されてもよく、一部の機能が１つのチップに集積されて実現され、別の機能がほかの１つまたは複数のチップに集積されて実現されてもよいが、これについて、本願では限定しない。
【００６２】
本開示の実施例におけるＵＥは、携帯電話、タブレットパソコン、ノートパソコン、ＵＭＰＣ（ｕｌｔｒａ−ｍｏｂｉｌｅ  ｐｅｒｓｏｎａｌ  ｃｏｍｐｕｔｅｒ）、ネットブックまたはＰＤＡ（ｐｅｒｓｏｎａｌ  ｄｉｇｉｔａｌ  ａｓｓｉｓｔａｎｔ）などである。
【００６３】
例示的に、本開示の実施例は、携帯電話をＵＥの例としてＵＥのハードウェア構造を紹介する。以下、図３をとともに、本開示の実施例における携帯電話の各構成部品を具体的に紹介する。図３に示すように、本開示の実施例における携帯電話は、プロセッサ３０と、ＲＦ（ｒａｄｉｏ  ｆｒｅｑｕｅｎｃｙ）回路３１と、電源３２と、メモリ３３と、入力ユニット３４と、表示ユニット３５および音声回路３６などの部品を含む。図３に示す携帯電話の構造について、携帯電話に対する限定にならず、図３に示す部品より多めまたは少なめの部品を含み、または、図３に示す部品のうちの一部の部品との組み合わせが可能であり、または、図３に示す部品とは異なるように配置されることは、当業者が自明である。
【００６４】
プロセッサ３０は、携帯電話の制御センタであり、各種類のインタフェースと回路を利用して携帯電話全体の各部品を接続する。メモリ３３に記憶されたソフトウェアプログラムおよび／またはモジュールを動作させまたは実行し、メモリ３３に記憶されたデータを呼び出すことによって、携帯電話の各種類の機能および処理データを実行し、携帯電話の全体的な監視を行う。選択可能に、プロセッサ３０は、１つまたは複数の処理ユニットを含んでもよい。選択可能に、プロセッサ３０は、応用プロセッサとモデムを集積可能である。応用プロセッサは、主にオペレーティングシステム、ユーザインタフェースおよびアプリケーションプログラムなどの処理に用いられ、モデムは、主に無線通信の処理に用いられる。上記モデムは、プロセッサ３０から独立に存在するプロセッサと理解してもよい。
【００６５】
ＲＦ回路３１は、情報の送受信または通信プロセスで信号の送受信に用いられる。たとえば、基地局のダウンリンク情報を受信してからプロセッサ３０による処理に供し、または、アップリンクのデータを基地局に送信する。通常、ＲＦ回路は、アンテナ、少なくとも１つのアンプ、送受信機、結合器、ＬＮＡ（ｌｏｗ  ｎｏｉｓｅ  ａｍｐｌｉｆｉｅｒ）およびデュプレクサなどを含むが、それらに限られない。また、携帯電話は、ＲＦ回路３１を介してネットワークのほかの機器とは無線通信を実現可能である。無線通信は、任意の通信標準またはプロトコルを使用可能であり、ＧＳＭ（登録商標）（ｇｌｏｂａｌ  ｓｙｓｔｅｍ  ｏｆ  ｍｏｂｉｌｅ  ｃｏｍｍｕｎｉｃａｔｉｏｎ）、ＧＰＲＳ（ｇｅｎｅｒａｌ  ｐａｃｋｅｔ  ｒａｄｉｏ  ｓｅｒｖｉｃｅ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）（ｗｉｄｅｂａｎｄ  ｃｏｄｅ  ｄｉｖｉｓｉｏｎ  ｍｕｌｔｉｐｌｅ  ａｃｃｅｓｓ）、ＬＴＥ、電子メールおよびＳＭＳ（ｓｈｏｒｔ  ｍｅｓｓａｇｉｎｇ  ｓｅｒｖｉｃｅ）などを含むが、それらに限られない。
【００６６】
電源３２は、携帯電話の各部品に給電することに用いられ、たとえば電池である。選択可能に、電源は、電源管理システムによってプロセッサ３０に論理的に接続され、電源管理システムによって、充放電管理および電力損失管理などの機能を実現する。
【００６７】
メモリ３３は、ソフトウェアプログラムおよび／またはモジュールの記憶に用いられる。プロセッサ３０は、メモリ３３に記憶されたソフトウェアプログラムおよび／またはモジュールを実行することによって、携帯電話の各種類の機能的応用およびデータ処理を実行する。メモリ３３は、主にプログラム記憶領域とデータ記憶領域を含む。プログラム記憶領域は、オペレーティングシステム、少なくとも１つの機能に必要されるアプリケーションプログラム（たとえば音声再生機能、画像再生機能など）などを記憶可能であり、データ記憶領域は、携帯電話の使用に応じて作成されたデータ（たとえば音声データ、画像データ、電話帳など）などを記憶可能である。また、メモリ３３は、高速ＲＡＭを含んでもよく、たとえば少なくとも１つの磁気ディスク記憶デバイス、フラッシュメモリ記憶デバイスの非揮発性メモリまたはほかの揮発性ソリッドステート記憶デバイスをさらに含んでもよい。
【００６８】
入力ユニット３４は、入力された数字または文字情報の受信、および、携帯電話のユーザ設定および機能制御に関するキー信号入力の生成に用いられる。具体的に、入力ユニット３４は、タッチスクリーン３４１およびほかの入力デバイス３４２を含む。タッチスクリーン３４１は、タッチパネルとも称され、タッチスクリーンでまたはその近くでのユーザによるタッチ操作（たとえばユーザが指、タッチペンなどの任意の適切な物体または付属部品を使用したタッチスクリーン３４１の上でまたはタッチスクリーン３４１の近くでの操作）を収集可能であり、所定の方式で対応する接続装置を駆動する。選択可能に、タッチスクリーン３４１は、タッチ検出装置とタッチコントローラの２つの部分を含む。タッチ検出装置は、ユーザのタッチ方位を検出し、タッチ操作による信号を検出し、信号をタッチコントローラに伝送する。タッチコントローラは、タッチ検出装置からタッチ情報を受信し、それをタッチポイント座標に変換してプロセッサ３０に送信し、プロセッサ３０からの命令を受信して実行する。ここで、抵抗式、電気容量式、赤外線および表面弾性波などの多種類のタイプでタッチスクリーン３４１を実現可能である。ほかの入力デバイス３４２は、物理的キーボード、機能的キー（たとえば音量制御キー、電源オンオフキーなど）、トラックボール、マウス、およびジョイスティックなどのうちの１つまたは複数を含むが、それらに限られない。
【００６９】
表示ユニット３５は、ユーザから入力された情報やユーザに提供する情報および携帯電話の各種類のメニューを表示することに用いられる。表示ユニット３５は、表示パネル３５１を含む。選択可能に、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ−ｅｍｉｔｔｉｎｇ  ｄｉｏｄｅ）などの形式で表示パネル３５１を配置する。さらに、タッチスクリーン３４１は、表示パネル３５１を覆ってもよい。タッチスクリーン３４１は、その上でまたは近くでのタッチ操作を検出すると、プロセッサ３０に伝送してタッチイベントのタイプを特定する。その後、プロセッサ３０は、タッチイベントの対応に応じて、対応する視覚的出力を表示パネル３５１で提供する。図３では、タッチスクリーン３４１と表示パネル３５１は、２つの独立した部品として携帯電話の入力、出力機能を実現するが、一部の実施例では、タッチスクリーン３４１と表示パネル３５１を集積して携帯電話の入力、出力機能を実現してもよい。
【００７０】
音声回路３６、スピーカー３６１およびマイクフォン３６２は、ユーザと携帯電話との間の音声インタフェースを提供する。音声回路３６は、受信した音声データから変換した電気信号をスピーカー３６１に伝送し、スピーカー３６１によって音声信号に変換して出力する。マイクフォン３６２は、収集した音声信号を電気信号に変換する。音声回路３６は、受信してから音声データに変換し、音声データをプロセッサ３０によってＲＦ回路３１に出力してたとえば別の携帯電話に送信する。または音声データをプロセッサ３０によってメモリ３３に出力してさらなる処理に備える。
【００７１】
選択可能に、図３に示す携帯電話は、各種類のセンサをさらに含んでもよい。ジャイロスコープ、湿度計センサ、赤外線センサ、磁力計センサなどが挙げられるが、ここでは繰り返して記載しない。
【００７２】
選択可能に、図３に示す携帯電話は、Ｗｉ−Ｆｉモジュール、ブルートゥース（登録商標）モジュールなどをさらに含んでもよいが、ここでは繰り返して記載しない。
【００７３】
図４を参照する。図４には、アップリンク信号系列生成方法のフローチャートが示されている。当該方法は、実行エンティティが端末または基地局であり、具体的に以下のステップを含む。
【００７４】
ステップ４０１において、
【数６０】
2020533907.tif 000063
に基づき、アップリンク信号系列
【数６１】
2020533907.tif 000064
を生成する。
【００７５】
ステップ４０２において、位相
【数６２】
2020533907.tif 000065
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択する。
【００７６】
上記の位相
【数６３】
2020533907.tif 000066
の多種類のありうる位相に対しフルトラバーサルを行って長さ１２のアップリンク信号系列を組み合わせることは、位相
【数６４】
2020533907.tif 000067
の４種類のありうる位相（π／４、−π／４、３π／４、−３π／４）に対しフルトラバーサルを行って長さ１２のアップリンク信号系列を組み合わせて４１２個のアップリンク信号基本系列候補を得、中から最小ピーク対平均電力比と最小相互相関特性を有する３０個のアップリンク信号基本系列を選択する。
【００７７】
＜実施形態１＞
たとえば、
【数６５】
2020533907.tif 000068
以下、
【数６６】
2020533907.tif 000069
の値の範囲を紹介する。
【００７８】
選択可能に、第１群では、前記アップリンク信号基本系列の
【数６７】
2020533907.tif 000070
の値は、−３、１、−３、１、−３、−３、３、３、−１、−１、１、１である。
【００７９】
選択可能に、第２群では、前記アップリンク信号基本系列の
【数６８】
2020533907.tif 000071
の値は、−１、−３、−３、３、−３、３、−１、−３、−１、１、３、−３である。
【００８０】
選択可能に、第３群では、前記アップリンク信号基本系列の
【数６９】
2020533907.tif 000072
の値は、３、−１、３、−１、３、３、−１、−１、３、３、３、３である。
【００８１】
選択可能に、第４群では、前記アップリンク信号基本系列の
【数７０】
2020533907.tif 000073
の値は、−３、３、−１、−３、−１、−３、−３、３、−３、−１、１、３である。
【００８２】
選択可能に、第５群では、前記アップリンク信号基本系列の
【数７１】
2020533907.tif 000074
の値は、１、１、−１、−１、３、３、−３、−３、１、−３、１、−３である。
【００８３】
選択可能に、第６群では、前記アップリンク信号基本系列の
【数７２】
2020533907.tif 000075
の値は、１、−３、１、−３、１、１、３、３、−１、−１、−３、−３である。
【００８４】
選択可能に、第７群では、前記アップリンク信号基本系列の
【数７３】
2020533907.tif 000076
の値は、−１、−３、−１、１、−１、１、３、１、−１、１、−１、−３である。
【００８５】
選択可能に、第８群では、前記アップリンク信号基本系列の
【数７４】
2020533907.tif 000077
の値は、３、−１、１、−３、−３、１、−１、３、３、３、３、３である。
【００８６】
選択可能に、第９群では、前記アップリンク信号基本系列の
【数７５】
2020533907.tif 000078
の値は、−１、１、１、３、１、３、−１、１、−１、−３、３、１である。
【００８７】
選択可能に、第１０群では、前記アップリンク信号基本系列の
【数７６】
2020533907.tif 000079
の値は、１、３、−１、１、−１、１、１、３、１、−１、−３、３である。
【００８８】
選択可能に、第１１群では、前記アップリンク信号基本系列の
【数７７】
2020533907.tif 000080
の値は、−１、３、１、−３、−３、１、３、−１、−１、−１、−１、−１である。
【００８９】
選択可能に、第１２群では、前記アップリンク信号基本系列の
【数７８】
2020533907.tif 000081
の値は、３、３、１、１、１、１、３、−３、１、−３、３、−１である。
【００９０】
選択可能に、第１３群では、前記アップリンク信号基本系列の
【数７９】
2020533907.tif 000082
の値は、１、１、１、−３、−３、−３、１、−３、−３、１、−３、−３である。
【００９１】
選択可能に、第１４群では、前記アップリンク信号基本系列の
【数８０】
2020533907.tif 000083
の値は、−１、１、３、−３、−１、−３、１、−１、１、−１、−１、−３である。
【００９２】
選択可能に、第１５群では、前記アップリンク信号基本系列の
【数８１】
2020533907.tif 000084
の値は、３、３、１、１、１、３、−３、１、−３、１、−１、３である。
【００９３】
選択可能に、第１６群では、前記アップリンク信号基本系列の
【数８２】
2020533907.tif 000085
の値は、１、−３、−３、−３、１、１、１、−３、１、１、−３、１である。
【００９４】
選択可能に、第１７群では、前記アップリンク信号基本系列の
【数８３】
2020533907.tif 000086
の値は、−３、−１、３、−３、−１、１、１、１、−１、−３、１、−１である。
【００９５】
選択可能に、第１８群では、前記アップリンク信号基本系列の
【数８４】
2020533907.tif 000087
の値は、３、１、１、−１、−３、３、−１、３、−３、−１、−１、１である。
【００９６】
選択可能に、第１９群では、前記アップリンク信号基本系列の
【数８５】
2020533907.tif 000088
の値は、−３、３、−１、−３、３、１、１、１、３、−３、１、３である。
【００９７】
選択可能に、第２０群では、前記アップリンク信号基本系列の
【数８６】
2020533907.tif 000089
の値は、１、−３、３、−１、３、−１、１、３、３、３、１、１である。
【００９８】
選択可能に、第２１群では、前記アップリンク信号基本系列の
【数８７】
2020533907.tif 000090
の値は、−３、−３、−３、−３、−３、１、−１、３、３、−１、１、−３である。
【００９９】
選択可能に、第２２群では、前記アップリンク信号基本系列の
【数８８】
2020533907.tif 000091
の値は、−３、−３、−３、−３、１、−３、１、１、−３、−３、１、１である。
【０１００】
選択可能に、第２３群では、前記アップリンク信号基本系列の
【数８９】
2020533907.tif 000092
の値は、−３、−３、−１、−１、３、３、１、１、−３、１、−３、１である。
【０１０１】
選択可能に、第２４群では、前記アップリンク信号基本系列の
【数９０】
2020533907.tif 000093
の値は、−１、−１、−１、−１、−１、３、−３、１、１、−３、３、−１である。
【０１０２】
選択可能に、第２５群では、前記アップリンク信号基本系列の
【数９１】
2020533907.tif 000094
の値は、１、−３、−１、３、−１、３、１、−１、−１、−１、１、１である。
【０１０３】
選択可能に、第２６群では、前記アップリンク信号基本系列の
【数９２】
2020533907.tif 000095
の値は、１、３、−１、１、３、３、３、１、−１、−３、１、−１である。
【０１０４】
選択可能に、第２７群では、前記アップリンク信号基本系列の
【数９３】
2020533907.tif 000096
の値は、−３、−１、１、３、−３、３、３、１、３、１、−３、３である。
【０１０５】
選択可能に、第２８群では、前記アップリンク信号基本系列の
【数９４】
2020533907.tif 000097
の値は、１、−３、３、−１、３、−３、−１、−１、−１、−１、−３、−３である。
【０１０６】
選択可能に、第２９群では、前記アップリンク信号基本系列の
【数９５】
2020533907.tif 000098
の値は、−３、３、１、３、１、−１、１、３、１、３、−３、３である。
【０１０７】
選択可能に、第３０群では、前記アップリンク信号基本系列の
【数９６】
2020533907.tif 000099
の値は、−３、−３、−１、−１、−１、−３、３、−１、３、−１、１、−３である。
【０１０８】
第１〜３０群では、長さ１２の基本系列の
【数９７】
2020533907.tif 000100
の値の定義表は、表２に示されている。基本系列は、
【数９８】
2020533907.tif 000101
に基づき生成される。
【数９９】
2020533907.tif 000102
は、群番号を示す。
【０１０９】
表２：第１〜３０群を選択する。
【表２】
2020533907.tif 000103
【０１１０】
＜実施形態２＞
たとえば、
【数１００】
2020533907.tif 000104
以下、
【数１０１】
2020533907.tif 000105
の値の範囲を紹介する。
【０１１１】
選択可能に、第１群では、前記アップリンク信号基本系列の
【数１０２】
2020533907.tif 000106
の値は、−３、１、−３、１、−３、−３、３、３、−１、−１、１、１である。
【０１１２】
選択可能に、第２群では、前記アップリンク信号基本系列の
【数１０３】
2020533907.tif 000107
の値は、−１、−３、−３、３、−３、３、−１、−３、−１、１、３、−３である。
【０１１３】
選択可能に、第３群では、前記アップリンク信号基本系列の
【数１０４】
2020533907.tif 000108
の値は、３、−１、３、−１、３、３、−１、−１、３、３、３、３である。
【０１１４】
選択可能に、第４群では、前記アップリンク信号基本系列の
【数１０５】
2020533907.tif 000109
の値は、−３、３、−１、−３、−１、−３、−３、３、−３、−１、１、３である。
【０１１５】
選択可能に、第５群では、前記アップリンク信号基本系列の
【数１０６】
2020533907.tif 000110
の値は、１、１、−１、−１、３、３、−３、−３、１、−３、１、−３である。
【０１１６】
選択可能に、第６群では、前記アップリンク信号基本系列の
【数１０７】
2020533907.tif 000111
の値は、１、−３、１、−３、１、１、３、３、−１、−１、−３、−３である。
【０１１７】
選択可能に、第７群では、前記アップリンク信号基本系列の
【数１０８】
2020533907.tif 000112
の値は、−１、−３、−１、１、−１、１、３、１、−１、１、−１、−３である。
【０１１８】
選択可能に、第８群では、前記アップリンク信号基本系列の
【数１０９】
2020533907.tif 000113
の値は、３、−１、１、−３、−３、１、−１、３、３、３、３、３である。
【０１１９】
選択可能に、第９群では、前記アップリンク信号基本系列の
【数１１０】
2020533907.tif 000114
の値は、−１、１、１、３、１、３、−１、１、−１、−３、３、１である。
【０１２０】
選択可能に、第１０群では、前記アップリンク信号基本系列の
【数１１１】
2020533907.tif 000115
の値は、１、３、−１、１、−１、１、１、３、１、−１、−３、３である。
【０１２１】
選択可能に、第１１群では、前記アップリンク信号基本系列の
【数１１２】
2020533907.tif 000116
の値は、−１、３、１、−３、−３、１、３、−１、−１、−１、−１、−１である。
【０１２２】
選択可能に、第１２群では、前記アップリンク信号基本系列の
【数１１３】
2020533907.tif 000117
の値は、３、３、１、１、１、１、３、−３、１、−３、３、−１である。
【０１２３】
選択可能に、第１３群では、前記アップリンク信号基本系列の
【数１１４】
2020533907.tif 000118
の値は、−３  、−３、３、１、−３、−３、−３、−１、３、−１、１、３である。
【０１２４】
選択可能に、第１４群では、前記アップリンク信号基本系列の
【数１１５】
2020533907.tif 000119
の値は、−１、１、３、−３、−１、−３、１、−１、１、−１、−１、−３である。
【０１２５】
選択可能に、第１５群では、前記アップリンク信号基本系列の
【数１１６】
2020533907.tif 000120
の値は、３、３、１、１、１、３、−３、１、−３、１、−１、３である。
【０１２６】
選択可能に、第１６群では、前記アップリンク信号基本系列の
【数１１７】
2020533907.tif 000121
の値は、１、−３、−３、−３、１、１、１、−３、１、１、−３、１である。
【０１２７】
選択可能に、第１７群では、前記アップリンク信号基本系列の
【数１１８】
2020533907.tif 000122
の値は、１、１、−１、−３、−３、−１、１、３、−１、３、１、−３である。
【０１２８】
選択可能に、第１８群では、前記アップリンク信号基本系列の
【数１１９】
2020533907.tif 000123
の値は、３、１、１、−１、−３、３、−１、３、−３、−１、−１、１である。
【０１２９】
選択可能に、第１９群では、前記アップリンク信号基本系列の
【数１２０】
2020533907.tif 000124
の値は、−３、３、−１、−３、３、１、１、１、３、−３、１、３である。
【０１３０】
選択可能に、第２０群では、前記アップリンク信号基本系列の
【数１２１】
2020533907.tif 000125
の値は、１、−３、３、−１、３、−１、１、３、３、３、１、１である。
【０１３１】
選択可能に、第２１群では、前記アップリンク信号基本系列の
【数１２２】
2020533907.tif 000126
の値は、−３、１、−１、−３、３、３、３、−３、−３、−１、３、−３である。
【０１３２】
選択可能に、第２２群では、前記アップリンク信号基本系列の
【数１２３】
2020533907.tif 000127
の値は、−３、−３、−３、−３、１、−３、１、１、−３、−３、１、１である。
【０１３３】
選択可能に、第２３群では、前記アップリンク信号基本系列の
【数１２４】
2020533907.tif 000128
の値は、−３、−３、−１、−１、３、３、１、１、−３、１、−３、１である。
【０１３４】
選択可能に、第２４群では、前記アップリンク信号基本系列の
【数１２５】
2020533907.tif 000129
の値は、３、１、１、−１、３、  １、−３、１、３、−３、−１、−１である。
【０１３５】
選択可能に、第２５群では、前記アップリンク信号基本系列の
【数１２６】
2020533907.tif 000130
の値は、１、−３、−１、３、−１、３、１、−１、−１、−１、１、１である。
【０１３６】
選択可能に、第２６群では、前記アップリンク信号基本系列の
【数１２７】
2020533907.tif 000131
の値は、１、１、３、３、−１、−３、１、３、−１、−１、−３、−３である。
【０１３７】
選択可能に、第２７群では、前記アップリンク信号基本系列の
【数１２８】
2020533907.tif 000132
の値は、−３、−１、１、３、−３、３、３、１、３、１、−３、３である。
【０１３８】
選択可能に、第２８群では、前記アップリンク信号基本系列の
【数１２９】
2020533907.tif 000133
の値は、１、−３、３、−１、３、−３、−１、−１、−１、−１、−３、−３である。
【０１３９】
選択可能に、第２９群では、前記アップリンク信号基本系列の
【数１３０】
2020533907.tif 000134
の値は、−１、−１、−１、−１、１、−３、−１、３、３、−１、−３、１である。
【０１４０】
選択可能に、第３０群では、前記アップリンク信号基本系列の
【数１３１】
2020533907.tif 000135
の値は、３、１、３、−３、３、−３、−１、−３、３、−３、３、１である。
【０１４１】
第１〜３０群では、長さ１２の基本系列の
【数１３２】
2020533907.tif 000136
の値の定義表として、表３に示される。基本系列は、
【数１３３】
2020533907.tif 000137
に基づき生成される。
【数１３４】
2020533907.tif 000138
は、群番号を示す。
【０１４２】
表３：第１〜３０群を選択する。
【表３】
2020533907.tif 000139
【０１４３】
このように、本開示の実施形態において、アップリンク信号基本系列の生成について新規の位相値の組み合わせを提案することによって、ピーク対平均電力比および系列間の相関性を低下させ、信号伝送性能を向上させ、セルの異なる系列間の干渉を低下させることができる。
【０１４４】
本開示の実施例は、端末をさらに提供する。端末は、問題を解決する原理が本開示の実施例におけるアップリンク信号系列生成方法に似るため、その実施について方法の実施を参照し、重複なところを繰り返して記載しない。
【０１４５】
図５を参照する。図５には、端末の構造が示されている。当該端末５００は、
【数１３５】
2020533907.tif 000140
に基づき、アップリンク信号系列
【数１３６】
2020533907.tif 000141
を生成するためのプロセッサ５０１を含む。前記プロセッサ５０１は、さらに、位相
【数１３７】
2020533907.tif 000142
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することに用いられる。
【０１４６】
上記の位相
【数１３８】
2020533907.tif 000143
の多種類のありうる位相に対しフルトラバーサルを行って長さ１２のアップリンク信号系列を組み合わせることは、位相
【数１３９】
2020533907.tif 000144
の４種類のありうる位相（π／４、−π／４、３π／４、−３π／４）に対しフルトラバーサルを行って長さ１２のアップリンク信号系列を組み合わせて４１２個のアップリンク信号基本系列候補を得、中から最小ピーク対平均電力比と最小相互相関特性を有する３０個のアップリンク信号基本系列を選択する。
【０１４７】
＜実施形態１＞
たとえば、
【数１４０】
2020533907.tif 000145
以下、
【数１４１】
2020533907.tif 000146
の値の範囲を紹介する。
【０１４８】
選択可能に、第１群では、前記アップリンク信号基本系列の
【数１４２】
2020533907.tif 000147
の値は、−３、１、−３、１、−３、−３、３、３、−１、−１、１、１である。
【０１４９】
選択可能に、第２群では、前記アップリンク信号基本系列の
【数１４３】
2020533907.tif 000148
の値は、−１、−３、−３、３、−３、３、−１、−３、−１、１、３、−３である。
【０１５０】
選択可能に、第３群では、前記アップリンク信号基本系列の
【数１４４】
2020533907.tif 000149
の値は、３、−１、３、−１、３、３、−１、−１、３、３、３、３である。
【０１５１】
選択可能に、第４群では、前記アップリンク信号基本系列の
【数１４５】
2020533907.tif 000150
の値は、−３、３、−１、−３、−１、−３、−３、３、−３、−１、１、３である。
【０１５２】
選択可能に、第５群では、前記アップリンク信号基本系列の
【数１４６】
2020533907.tif 000151
の値は、１、１、−１、−１、３、３、−３、−３、１、−３、１、−３である。
【０１５３】
選択可能に、第６群では、前記アップリンク信号基本系列の
【数１４７】
2020533907.tif 000152
の値は、１、−３、１、−３、１、１、３、３、−１、−１、−３、−３である。
【０１５４】
選択可能に、第７群では、前記アップリンク信号基本系列の
【数１４８】
2020533907.tif 000153
の値は、−１、−３、−１、１、−１、１、３、１、−１、１、−１、−３である。
【０１５５】
選択可能に、第８群では、前記アップリンク信号基本系列の
【数１４９】
2020533907.tif 000154
の値は、３、−１、１、−３、−３、１、−１、３、３、３、３、３である。
【０１５６】
選択可能に、第９群では、前記アップリンク信号基本系列の
【数１５０】
2020533907.tif 000155
の値は、−１、１、１、３、１、３、−１、１、−１、−３、３、１である。
【０１５７】
選択可能に、第１０群では、前記アップリンク信号基本系列の
【数１５１】
2020533907.tif 000156
の値は、１、３、−１、１、−１、１、１、３、１、−１、−３、３である。
【０１５８】
選択可能に、第１１群では、前記アップリンク信号基本系列の
【数１５２】
2020533907.tif 000157
の値は、−１、３、１、−３、−３、１、３、−１、−１、−１、−１、−１である。
【０１５９】
選択可能に、第１２群では、前記アップリンク信号基本系列の
【数１５３】
2020533907.tif 000158
の値は、３、３、１、１、１、１、３、−３、１、−３、３、−１である。
【０１６０】
選択可能に、第１３群では、前記アップリンク信号基本系列の
【数１５４】
2020533907.tif 000159
の値は、１、１、１、−３、−３、−３、１、−３、−３、１、−３、−３である。
【０１６１】
選択可能に、第１４群では、前記アップリンク信号基本系列の
【数１５５】
2020533907.tif 000160
の値は、−１、１、３、−３、−１、−３、１、−１、１、−１、−１、−３である。
【０１６２】
選択可能に、第１５群では、前記アップリンク信号基本系列の
【数１５６】
2020533907.tif 000161
の値は、３、３、１、１、１、３、−３、１、−３、１、−１、３である。
【０１６３】
選択可能に、第１６群では、前記アップリンク信号基本系列の
【数１５７】
2020533907.tif 000162
の値は、１、−３、−３、−３、１、１、１、−３、１、１、−３、１である。
【０１６４】
選択可能に、第１７群では、前記アップリンク信号基本系列の
【数１５８】
2020533907.tif 000163
の値は、−３、−１、３、−３、−１、１、１、１、−１、−３、１、−１である。
【０１６５】
選択可能に、第１８群では、前記アップリンク信号基本系列の
【数１５９】
2020533907.tif 000164
の値は、３、１、１、−１、−３、３、−１、３、−３、−１、−１、１である。
【０１６６】
選択可能に、第１９群では、前記アップリンク信号基本系列の
【数１６０】
2020533907.tif 000165
の値は、−３、３、−１、−３、３、１、１、１、３、−３、１、３である。
【０１６７】
選択可能に、第２０群では、前記アップリンク信号基本系列の
【数１６１】
2020533907.tif 000166
の値は、１、−３、３、−１、３、−１、１、３、３、３、１、１である。
【０１６８】
選択可能に、第２１群では、前記アップリンク信号基本系列の
【数１６２】
2020533907.tif 000167
の値は、−３、−３、−３、−３、−３、１、−１、３、３、−１、１、−３である。
【０１６９】
選択可能に、第２２群では、前記アップリンク信号基本系列の
【数１６３】
2020533907.tif 000168
の値は、−３、−３、−３、−３、１、−３、１、１、−３、−３、１、１である。
【０１７０】
選択可能に、第２３群では、前記アップリンク信号基本系列の
【数１６４】
2020533907.tif 000169
の値は、−３、−３、−１、−１、３、３、１、１、−３、１、−３、１である。
【０１７１】
選択可能に、第２４群では、前記アップリンク信号基本系列の
【数１６５】
2020533907.tif 000170
の値は、−１、−１、−１、−１、−１、３、−３、１、１、−３、３、−１である。
【０１７２】
選択可能に、第２５群では、前記アップリンク信号基本系列の
【数１６６】
2020533907.tif 000171
の値は、１、−３、−１、３、−１、３、１、−１、−１、−１、１、１である。
【０１７３】
選択可能に、第２６群では、前記アップリンク信号基本系列の
【数１６７】
2020533907.tif 000172
の値は、１、３、−１、１、３、３、３、１、−１、−３、１、−１である。
【０１７４】
選択可能に、第２７群では、前記アップリンク信号基本系列の
【数１６８】
2020533907.tif 000173
の値は、−３、−１、１、３、−３、３、３、１、３、１、−３、３である。
【０１７５】
選択可能に、第２８群では、前記アップリンク信号基本系列の
【数１６９】
2020533907.tif 000174
の値は、１、−３、３、−１、３、−３、−１、−１、−１、−１、−３、−３である。
【０１７６】
選択可能に、第２９群では、前記アップリンク信号基本系列の
【数１７０】
2020533907.tif 000175
の値は、−３、３、１、３、１、−１、１、３、１、３、−３、３である。
【０１７７】
選択可能に、第３０群では、前記アップリンク信号基本系列の
【数１７１】
2020533907.tif 000176
の値は、−３、−３、−１、−１、−１、−３、３、−１、３、−１、１、−３である。
【０１７８】
＜実施形態２＞
たとえば、
【数１７２】
2020533907.tif 000177
以下、
【数１７３】
2020533907.tif 000178
の値の範囲を紹介する。
【０１７９】
選択可能に、第１群では、前記アップリンク信号基本系列の
【数１７４】
2020533907.tif 000179
の値は、−３、１、−３、１、−３、−３、３、３、−１、−１、１、１である。
【０１８０】
選択可能に、第２群では、前記アップリンク信号基本系列の
【数１７５】
2020533907.tif 000180
の値は、−１、−３、−３、３、−３、３、−１、−３、−１、１、３、−３である。
【０１８１】
選択可能に、第３群では、前記アップリンク信号基本系列の
【数１７６】
2020533907.tif 000181
の値は、３、−１、３、−１、３、３、−１、−１、３、３、３、３である。
【０１８２】
選択可能に、第４群では、前記アップリンク信号基本系列の
【数１７７】
2020533907.tif 000182
の値は、−３、３、−１、−３、−１、−３、−３、３、−３、−１、１、３である。
【０１８３】
選択可能に、第５群では、前記アップリンク信号基本系列の
【数１７８】
2020533907.tif 000183
の値は、１、１、−１、−１、３、３、−３、−３、１、−３、１、−３である。
【０１８４】
選択可能に、第６群では、前記アップリンク信号基本系列の
【数１７９】
2020533907.tif 000184
の値は、１、−３、１、−３、１、１、３、３、−１、−１、−３、−３である。
【０１８５】
選択可能に、第７群では、前記アップリンク信号基本系列の
【数１８０】
2020533907.tif 000185
の値は、−１、−３、−１、１、−１、１、３、１、−１、１、−１、−３である。
【０１８６】
選択可能に、第８群では、前記アップリンク信号基本系列の
【数１８１】
2020533907.tif 000186
の値は、３、−１、１、−３、−３、１、−１、３、３、３、３、３である。
【０１８７】
選択可能に、第９群では、前記アップリンク信号基本系列の
【数１８２】
2020533907.tif 000187
の値は、−１、１、１、３、１、３、−１、１、−１、−３、３、１である。
【０１８８】
選択可能に、第１０群では、前記アップリンク信号基本系列の
【数１８３】
2020533907.tif 000188
の値は、１、３、−１、１、−１、１、１、３、１、−１、−３、３である。
【０１８９】
選択可能に、第１１群では、前記アップリンク信号基本系列の
【数１８４】
2020533907.tif 000189
の値は、−１、３、１、−３、−３、１、３、−１、−１、−１、−１、−１である。
【０１９０】
選択可能に、第１２群では、前記アップリンク信号基本系列の
【数１８５】
2020533907.tif 000190
の値は、３、３、１、１、１、１、３、−３、１、−３、３、−１である。
【０１９１】
選択可能に、第１３群では、前記アップリンク信号基本系列の
【数１８６】
2020533907.tif 000191
の値は、−３  、−３、３、１、−３、−３、−３、−１、３、−１、１、３である。
【０１９２】
選択可能に、第１４群では、前記アップリンク信号基本系列の
【数１８７】
2020533907.tif 000192
の値は、−１、１、３、−３、−１、−３、１、−１、１、−１、−１、−３である。
【０１９３】
選択可能に、第１５群では、前記アップリンク信号基本系列の
【数１８８】
2020533907.tif 000193
の値は、３、３、１、１、１、３、−３、１、−３、１、−１、３である。
【０１９４】
選択可能に、第１６群では、前記アップリンク信号基本系列の
【数１８９】
2020533907.tif 000194
の値は、１、−３、−３、−３、１、１、１、−３、１、１、−３、１である。
【０１９５】
選択可能に、第１７群では、前記アップリンク信号基本系列の
【数１９０】
2020533907.tif 000195
の値は、１、１、−１、−３、−３、−１、１、３、−１、３、１、−３である。
【０１９６】
選択可能に、第１８群では、前記アップリンク信号基本系列の
【数１９１】
2020533907.tif 000196
の値は、３、１、１、−１、−３、３、−１、３、−３、−１、−１、１である。
【０１９７】
選択可能に、第１９群では、前記アップリンク信号基本系列の
【数１９２】
2020533907.tif 000197
の値は、−３、３、−１、−３、３、１、１、１、３、−３、１、３である。
【０１９８】
選択可能に、第２０群では、前記アップリンク信号基本系列の
【数１９３】
2020533907.tif 000198
の値は、１、−３、３、−１、３、−１、１、３、３、３、１、１である。
【０１９９】
選択可能に、第２１群では、前記アップリンク信号基本系列の
【数１９４】
2020533907.tif 000199
の値は、−３、１、−１、−３、３、３、３、−３、−３、−１、３、−３である。
【０２００】
選択可能に、第２２群では、前記アップリンク信号基本系列の
【数１９５】
2020533907.tif 000200
の値は、−３、−３、−３、−３、１、−３、１、１、−３、−３、１、１である。
【０２０１】
選択可能に、第２３群では、前記アップリンク信号基本系列の
【数１９６】
2020533907.tif 000201
の値は、−３、−３、−１、−１、３、３、１、１、−３、１、−３、１である。
【０２０２】
選択可能に、第２４群では、前記アップリンク信号基本系列の
【数１９７】
2020533907.tif 000202
の値は、３、１、１、−１、３、  １、−３、１、３、−３、−１、−１である。
【０２０３】
選択可能に、第２５群では、前記アップリンク信号基本系列の
【数１９８】
2020533907.tif 000203
の値は、１、−３、−１、３、−１、３、１、−１、−１、−１、１、１である。
【０２０４】
選択可能に、第２６群では、前記アップリンク信号基本系列の
【数１９９】
2020533907.tif 000204
の値は、１、１、３、３、−１、−３、１、３、−１、−１、−３、−３である。
【０２０５】
選択可能に、第２７群では、前記アップリンク信号基本系列の
【数２００】
2020533907.tif 000205
の値は、−３、−１、１、３、−３、３、３、１、３、１、−３、３である。
【０２０６】
選択可能に、第２８群では、前記アップリンク信号基本系列の
【数２０１】
2020533907.tif 000206
の値は、１、−３、３、−１、３、−３、−１、−１、−１、−１、−３、−３である。
【０２０７】
選択可能に、第２９群では、前記アップリンク信号基本系列の
【数２０２】
2020533907.tif 000207
の値は、−１、−１、−１、−１、１、−３、−１、３、３、−１、−３、１である。
【０２０８】
選択可能に、第３０群では、前記アップリンク信号基本系列の
【数２０３】
2020533907.tif 000208
の値は、３、１、３、−３、３、−３、−１、−３、３、−３、３、１である。
【０２０９】
本実施例の端末は、上記の方法実施例を実行可能であり、その実現原理と技術効果が類似するため、本実施例においてここでは繰り返して記載しない。
【０２１０】
本開示の実施例は、基地局をさらに提供する。基地局は、問題を解決する原理が本開示の実施例におけるアップリンク信号系列生成方法に似るため、その実施について方法の実施を参照し、重複なところを繰り返して記載しない。
【０２１１】
図６を参照する。図６には、基地局の構造が示されている。当該基地局６００は、
【数２０４】
2020533907.tif 000209
に基づき、アップリンク信号系列
【数２０５】
2020533907.tif 000210
を生成するためのプロセッサ６０１を含む。前記プロセッサ６０１は、さらに、位相
【数２０６】
2020533907.tif 000211
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することに用いられる。
【０２１２】
上記の位相
【数２０７】
2020533907.tif 000212
の多種類のありうる位相に対しフルトラバーサルを行って長さ１２のアップリンク信号系列を組み合わせることは、位相
【数２０８】
2020533907.tif 000213
の４種類のありうる位相（π／４、−π／４、３π／４、−３π／４）に対しフルトラバーサルを行って長さ１２のアップリンク信号系列を組み合わせて４１２個のアップリンク信号基本系列候補を得、中から最小ピーク対平均電力比と最小相互相関特性を有する３０個のアップリンク信号基本系列を選択する。
【０２１３】
＜実施形態１＞
たとえば、
【数２０９】
2020533907.tif 000214
以下、
【数２１０】
2020533907.tif 000215
の値の範囲を紹介する。
【０２１４】
選択可能に、第１群では、前記アップリンク信号基本系列の
【数２１１】
2020533907.tif 000216
の値は、−３、１、−３、１、−３、−３、３、３、−１、−１、１、１である。
【０２１５】
選択可能に、第２群では、前記アップリンク信号基本系列の
【数２１２】
2020533907.tif 000217
の値は、−１、−３、−３、３、−３、３、−１、−３、−１、１、３、−３である。
【０２１６】
選択可能に、第３群では、前記アップリンク信号基本系列の
【数２１３】
2020533907.tif 000218
の値は、３、−１、３、−１、３、３、−１、−１、３、３、３、３である。
【０２１７】
選択可能に、第４群では、前記アップリンク信号基本系列の
【数２１４】
2020533907.tif 000219
の値は、−３、３、−１、−３、−１、−３、−３、３、−３、−１、１、３である。
【０２１８】
選択可能に、第５群では、前記アップリンク信号基本系列の
【数２１５】
2020533907.tif 000220
の値は、１、１、−１、−１、３、３、−３、−３、１、−３、１、−３である。
【０２１９】
選択可能に、第６群では、前記アップリンク信号基本系列の
【数２１６】
2020533907.tif 000221
の値は、１、−３、１、−３、１、１、３、３、−１、−１、−３、−３である。
【０２２０】
選択可能に、第７群では、前記アップリンク信号基本系列の
【数２１７】
2020533907.tif 000222
の値は、−１、−３、−１、１、−１、１、３、１、−１、１、−１、−３である。
【０２２１】
選択可能に、第８群では、前記アップリンク信号基本系列の
【数２１８】
2020533907.tif 000223
の値は、３、−１、１、−３、−３、１、−１、３、３、３、３、３である。
【０２２２】
選択可能に、第９群では、前記アップリンク信号基本系列の
【数２１９】
2020533907.tif 000224
の値は、−１、１、１、３、１、３、−１、１、−１、−３、３、１である。
【０２２３】
選択可能に、第１０群では、前記アップリンク信号基本系列の
【数２２０】
2020533907.tif 000225
の値は、１、３、−１、１、−１、１、１、３、１、−１、−３、３である。
【０２２４】
選択可能に、第１１群では、前記アップリンク信号基本系列の
【数２２１】
2020533907.tif 000226
の値は、−１、３、１、−３、−３、１、３、−１、−１、−１、−１、−１である。
【０２２５】
選択可能に、第１２群では、前記アップリンク信号基本系列の
【数２２２】
2020533907.tif 000227
の値は、３、３、１、１、１、１、３、−３、１、−３、３、−１である。
【０２２６】
選択可能に、第１３群では、前記アップリンク信号基本系列の
【数２２３】
2020533907.tif 000228
の値は、１、１、１、−３、−３、−３、１、−３、−３、１、−３、−３である。
【０２２７】
選択可能に、第１４群では、前記アップリンク信号基本系列の
【数２２４】
2020533907.tif 000229
の値は、−１、１、３、−３、−１、−３、１、−１、１、−１、−１、−３である。
【０２２８】
選択可能に、第１５群では、前記アップリンク信号基本系列の
【数２２５】
2020533907.tif 000230
の値は、３、３、１、１、１、３、−３、１、−３、１、−１、３である。
【０２２９】
選択可能に、第１６群では、前記アップリンク信号基本系列の
【数２２６】
2020533907.tif 000231
の値は、１、−３、−３、−３、１、１、１、−３、１、１、−３、１である。
【０２３０】
選択可能に、第１７群では、前記アップリンク信号基本系列の
【数２２７】
2020533907.tif 000232
の値は、−３、−１、３、−３、−１、１、１、１、−１、−３、１、−１である。
【０２３１】
選択可能に、第１８群では、前記アップリンク信号基本系列の
【数２２８】
2020533907.tif 000233
の値は、３、１、１、−１、−３、３、−１、３、−３、−１、−１、１である。
【０２３２】
選択可能に、第１９群では、前記アップリンク信号基本系列の
【数２２９】
2020533907.tif 000234
の値は、−３、３、−１、−３、３、１、１、１、３、−３、１、３である。
【０２３３】
選択可能に、第２０群では、前記アップリンク信号基本系列の
【数２３０】
2020533907.tif 000235
の値は、１、−３、３、−１、３、−１、１、３、３、３、１、１である。
【０２３４】
選択可能に、第２１群では、前記アップリンク信号基本系列の
【数２３１】
2020533907.tif 000236
の値は、−３、−３、−３、−３、−３、１、−１、３、３、−１、１、−３である。
【０２３５】
選択可能に、第２２群では、前記アップリンク信号基本系列の
【数２３２】
2020533907.tif 000237
の値は、−３、−３、−３、−３、１、−３、１、１、−３、−３、１、１である。
【０２３６】
選択可能に、第２３群では、前記アップリンク信号基本系列の
【数２３３】
2020533907.tif 000238
の値は、−３、−３、−１、−１、３、３、１、１、−３、１、−３、１である。
【０２３７】
選択可能に、第２４群では、前記アップリンク信号基本系列の
【数２３４】
2020533907.tif 000239
の値は、−１、−１、−１、−１、−１、３、−３、１、１、−３、３、−１である。
【０２３８】
選択可能に、第２５群では、前記アップリンク信号基本系列の
【数２３５】
2020533907.tif 000240
の値は、１、−３、−１、３、−１、３、１、−１、−１、−１、１、１である。
【０２３９】
選択可能に、第２６群では、前記アップリンク信号基本系列の
【数２３６】
2020533907.tif 000241
の値は、１、３、−１、１、３、３、３、１、−１、−３、１、−１である。
【０２４０】
選択可能に、第２７群では、前記アップリンク信号基本系列の
【数２３７】
2020533907.tif 000242
の値は、−３、−１、１、３、−３、３、３、１、３、１、−３、３である。
【０２４１】
選択可能に、第２８群では、前記アップリンク信号基本系列の
【数２３８】
2020533907.tif 000243
の値は、１、−３、３、−１、３、−３、−１、−１、−１、−１、−３、−３である。
【０２４２】
選択可能に、第２９群では、前記アップリンク信号基本系列の
【数２３９】
2020533907.tif 000244
の値は、−３、３、１、３、１、−１、１、３、１、３、−３、３である。
【０２４３】
選択可能に、第３０群では、前記アップリンク信号基本系列の
【数２４０】
2020533907.tif 000245
の値は、−３、−３、−１、−１、−１、−３、３、−１、３、−１、１、−３である。
【０２４４】
＜実施形態２＞
たとえば、
【数２４１】
2020533907.tif 000246
以下、
【数２４２】
2020533907.tif 000247
の値の範囲を紹介する。
【０２４５】
選択可能に、第１群では、前記アップリンク信号基本系列の
【数２４３】
2020533907.tif 000248
の値は、−３、１、−３、１、−３、−３、３、３、−１、−１、１、１である。
【０２４６】
選択可能に、第２群では、前記アップリンク信号基本系列の
【数２４４】
2020533907.tif 000249
の値は、−１、−３、−３、３、−３、３、−１、−３、−１、１、３、−３である。
【０２４７】
選択可能に、第３群では、前記アップリンク信号基本系列の
【数２４５】
2020533907.tif 000250
の値は、３、−１、３、−１、３、３、−１、−１、３、３、３、３である。
【０２４８】
選択可能に、第４群では、前記アップリンク信号基本系列の
【数２４６】
2020533907.tif 000251
の値は、−３、３、−１、−３、−１、−３、−３、３、−３、−１、１、３である。
【０２４９】
選択可能に、第５群では、前記アップリンク信号基本系列の
【数２４７】
2020533907.tif 000252
の値は、１、１、−１、−１、３、３、−３、−３、１、−３、１、−３である。
【０２５０】
選択可能に、第６群では、前記アップリンク信号基本系列の
【数２４８】
2020533907.tif 000253
の値は、１、−３、１、−３、１、１、３、３、−１、−１、−３、−３である。
【０２５１】
選択可能に、第７群では、前記アップリンク信号基本系列の
【数２４９】
2020533907.tif 000254
の値は、−１、−３、−１、１、−１、１、３、１、−１、１、−１、−３である。
【０２５２】
選択可能に、第８群では、前記アップリンク信号基本系列の
【数２５０】
2020533907.tif 000255
の値は、３、−１、１、−３、−３、１、−１、３、３、３、３、３である。
【０２５３】
選択可能に、第９群では、前記アップリンク信号基本系列の
【数２５１】
2020533907.tif 000256
の値は、−１、１、１、３、１、３、−１、１、−１、−３、３、１である。
【０２５４】
選択可能に、第１０群では、前記アップリンク信号基本系列の
【数２５２】
2020533907.tif 000257
の値は、１、３、−１、１、−１、１、１、３、１、−１、−３、３である。
【０２５５】
選択可能に、第１１群では、前記アップリンク信号基本系列の
【数２５３】
2020533907.tif 000258
の値は、−１、３、１、−３、−３、１、３、−１、−１、−１、−１、−１である。
【０２５６】
選択可能に、第１２群では、前記アップリンク信号基本系列の
【数２５４】
2020533907.tif 000259
の値は、３、３、１、１、１、１、３、−３、１、−３、３、−１である。
【０２５７】
選択可能に、第１３群では、前記アップリンク信号基本系列の
【数２５５】
2020533907.tif 000260
の値は、−３  、−３、３、１、−３、−３、−３、−１、３、−１、１、３である。
【０２５８】
選択可能に、第１４群では、前記アップリンク信号基本系列の
【数２５６】
2020533907.tif 000261
の値は、−１、１、３、−３、−１、−３、１、−１、１、−１、−１、−３である。
【０２５９】
選択可能に、第１５群では、前記アップリンク信号基本系列の
【数２５７】
2020533907.tif 000262
の値は、３、３、１、１、１、３、−３、１、−３、１、−１、３である。
【０２６０】
選択可能に、第１６群では、前記アップリンク信号基本系列の
【数２５８】
2020533907.tif 000263
の値は、１、−３、−３、−３、１、１、１、−３、１、１、−３、１である。
【０２６１】
選択可能に、第１７群では、前記アップリンク信号基本系列の
【数２５９】
2020533907.tif 000264
の値は、１、１、−１、−３、−３、−１、１、３、−１、３、１、−３である。
【０２６２】
選択可能に、第１８群では、前記アップリンク信号基本系列の
【数２６０】
2020533907.tif 000265
の値は、３、１、１、−１、−３、３、−１、３、−３、−１、−１、１である。
【０２６３】
選択可能に、第１９群では、前記アップリンク信号基本系列の
【数２６１】
2020533907.tif 000266
の値は、−３、３、−１、−３、３、１、１、１、３、−３、１、３である。
【０２６４】
選択可能に、第２０群では、前記アップリンク信号基本系列の
【数２６２】
2020533907.tif 000267
の値は、１、−３、３、−１、３、−１、１、３、３、３、１、１である。
【０２６５】
選択可能に、第２１群では、前記アップリンク信号基本系列の
【数２６３】
2020533907.tif 000268
の値は、−３、１、−１、−３、３、３、３、−３、−３、−１、３、−３である。
【０２６６】
選択可能に、第２２群では、前記アップリンク信号基本系列の
【数２６４】
2020533907.tif 000269
の値は、−３、−３、−３、−３、１、−３、１、１、−３、−３、１、１である。
【０２６７】
選択可能に、第２３群では、前記アップリンク信号基本系列の
【数２６５】
2020533907.tif 000270
の値は、−３、−３、−１、−１、３、３、１、１、−３、１、−３、１である。
【０２６８】
選択可能に、第２４群では、前記アップリンク信号基本系列の
【数２６６】
2020533907.tif 000271
の値は、３、１、１、−１、３、  １、−３、１、３、−３、−１、−１である。
【０２６９】
選択可能に、第２５群では、前記アップリンク信号基本系列の
【数２６７】
2020533907.tif 000272
の値は、１、−３、−１、３、−１、３、１、−１、−１、−１、１、１である。
【０２７０】
選択可能に、第２６群では、前記アップリンク信号基本系列の
【数２６８】
2020533907.tif 000273
の値は、１、１、３、３、−１、−３、１、３、−１、−１、−３、−３である。
【０２７１】
選択可能に、第２７群では、前記アップリンク信号基本系列の
【数２６９】
2020533907.tif 000274
の値は、−３、−１、１、３、−３、３、３、１、３、１、−３、３である。
【０２７２】
選択可能に、第２８群では、前記アップリンク信号基本系列の
【数２７０】
2020533907.tif 000275
の値は、１、−３、３、−１、３、−３、−１、−１、−１、−１、−３、−３である。
【０２７３】
選択可能に、第２９群では、前記アップリンク信号基本系列の
【数２７１】
2020533907.tif 000276
の値は、−１、−１、−１、−１、１、−３、−１、３、３、−１、−３、１である。
【０２７４】
選択可能に、第３０群では、前記アップリンク信号基本系列の
【数２７２】
2020533907.tif 000277
の値は、３、１、３、−３、３、−３、−１、−３、３、−３、３、１である。
【０２７５】
本実施例の基地局は、上記の方法実施例を実行可能であり、その実現原理と技術効果が類似するため、本実施例においてここでは繰り返して記載しない。
【０２７６】
図７に示すように、図７に示す端末７００は、少なくとも１つのプロセッサ７０１と、メモリ７０２と、少なくとも１つのネットワークインタフェース７０４と、ユーザインタフェース７０３を含む。端末７００における各構成部品は、バスシステム７０５を介して結合される。バスシステム７０５は、これらの構成部品の間の接続と通信に用いられることが理解できる。バスシステム７０５は、データバスのほかに、電源バス、制御バスおよび状態信号バスをさらに含む。ただし、明確に説明するために、図７において、各種類のバスをすべてバスシステム７０５として標記している。
【０２７７】
ここで、ユーザインタフェース７０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０２７８】
本開示の実施例におけるメモリ７０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ７０２は、これらに限られず、これらおよびこれら以外の任意の適合する種類のメモリを含むとする。
【０２７９】
一部実施例において、メモリ７０２には、実行可能なモジュールまたはデータ構造、またはそれらのサブセット、または、それらの拡張セットであるオペレーティングシステム７０２１とアプリケーションプログラム７０２２が記憶されている。
【０２８０】
ここで、オペレーティングシステム７０２１は、フレーム層、コアライブラリ層、駆動層など各種類のシステムプログラムを含み、各種類のベーシックサービスの実現およびハードウェアに基づくタスクの処理に用いられる。アプリケーションプログラム１００２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム７０２２に含まれる。
【０２８１】
本開示の実施例において、メモリ７０２に保存されているプログラムまたは指令を呼び出し、具体的に、アプリケーションプログラム７０２２に保存されているプログラムまたは指令を呼び出すことによって、アップリンク信号系列生成方法のステップが実行される。
【０２８２】
上記の本開示の実施例に開示される方法は、プロセッサ７０１に応用可能であり、またはプロセッサ７０１によって実現される。プロセッサ７０１は、信号処理能力を有するＩＣチップである。実現プロセスにおいて、上記方法の各ステップは、プロセッサ７０１におけるハードウェアの集積論理回路またはソフトウェア形式の指令によって遂行される。上記プロセッサ７０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他のプログラマブル論理デバイス、分離ゲートまたはトランジスタ論理デバイス、分離ハードウェアコンポーネントであり、本開示の実施例に開示される各方法、ステップおよび論理ブロック図を実現しまたは実行することができる。汎用プロセッサは、マイクロプロセッサまたは任意の通常プロセッサなどである。本開示の実施例に開示される方法のステップは、直接ハードウェアの復号プロセッサによって実行されて遂行されるか、復号プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ７０２に位置する。プロセッサ７０１は、メモリ７０２における情報を読み取って、そのハードウェアと組み合わせて上記方法のステップを遂行する。
【０２８３】
本開示の実施例は、基地局を提供する。図８には、本開示の実施例における基地局８００の構造図が示されている。図８に示すように、基地局８００は、プロセッサ８０１と、トランシーバ８０２と、メモリ８０３と、ユーザインタフェース８０４と、バスインタフェースを含む。
【０２８４】
ここで、プロセッサ８０１は、バスアーキテクチャと通常の処理を管理する。メモリ８０３は、プロセッサ８０１による操作実行に使用されるデータを記憶できる。
【０２８５】
本開示の実施例において、基地局８００は、メモリ８０３に記憶されてプロセッサ８０１で実行可能なコンピュータプログラムをさらに含む。コンピュータプログラムがプロセッサ８０１によって実行されると、
【数２７３】
2020533907.tif 000278
に基づき、アップリンク信号系列
【数２７４】
2020533907.tif 000279
を生成するステップと、位相
【数２７５】
2020533907.tif 000280
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択するステップとが実現される。
【０２８６】
図では、バスアーキテクチャは、任意数の相互接続するバスとブリッジを含み、具体的に、プロセッサ８０１をはじめとする１つ又は複数のプロセッサとメモリ８０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８０２は、複数の部品であってもよく、即ち送信機と受信機を含み、伝送媒体でほかの各種類の装置と通信するユニットとして提供される。ユーザ端末によっては、ユーザインタフェース８０４は、内部接続や外部接続する機器のインタフェースであってもよい。接続する機器は、キーパッド、ディスプレイ、スピーカ、マイクロフォン、ジョイスティックなどを含むが、それらに限られない。
【０２８７】
本開示の実施例は、プログラムが記憶されているコンピュータ読み取り可能な記憶媒体をさらに提供する。当該プログラムがプロセッサによって実行されると、以上記載したアップリンク信号系列生成方法のステップが実現される。
【０２８８】
本開示の開示内容と関連付けて記載した方法またはアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスクまたは本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【０２８９】
上記の１つまたは複数の例において、本開示に記載の機能がハードウェア、ソフトウェア、ファームウェアまたはそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つまたは複数の指令またはコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用または特殊用途向けのコンピュータによってアクセス可能なあらゆる利用可能な媒体である。
【０２９０】
以上に記載した具体的な実施形態によって、本開示の目的、技術手段および効果をさらなる詳細な説明をした。なお、以上の記載は、本開示の具体的な実施形態に過ぎず、本開示の保護範囲を限定するためのものではない。本開示の技術手段を基に為したあらゆる修正、均等置換および改良などは、すべて本開示の保護範囲に含まれるべきである。
【０２９１】
本開示の実施例は、方法、システム、又はコンピュータプログラムプロダクトとして提供されうると当業者が理解できる。従って、本開示の実施例は、完全にハードウェアの実施例、完全にソフトウェアの実施例、又はソフトウェアとハードウェアを組み合わせた実施例の形態を取り得る。しかも、本開示の実施例は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０２９２】
本開示の実施例は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０２９３】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０２９４】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０２９５】
明らかに、当業者は、本開示の範囲を逸脱せずに、本開示の実施例に対し様々な修正や変形をすることもできる。本開示の実施例のこれらの修正や変形も本開示の特許請求の範囲およびその同等技術の範囲に属するのであれば、本開示には、これらの修正や変形も含むこととする。
【図１】
2020533907.tif 000324
【図２】
2020533907.tif 000325
【図３】
2020533907.tif 000326
【図４】
2020533907.tif 000327
【図５】
2020533907.tif 000328
【図６】
2020533907.tif 000329
【図７】
2020533907.tif 000330
【図８】
2020533907.tif 000331
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
【数２７６】
2020533907.tif 000332
に基づき、アップリンク信号系列
【数２７７】
2020533907.tif 000333
を生成することと、
位相
【数２７８】
2020533907.tif 000334
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することとを含む、アップリンク信号系列生成方法。
【請求項２】
前記アップリンク信号基本系列の
【数２７９】
2020533907.tif 000335
の値は、−３、１、−３、１、−３、−３、３、３、−１、−１、１、１である、請求項１に記載の方法。
【請求項３】
前記アップリンク信号基本系列の
【数２８０】
2020533907.tif 000336
の値は、−１、−３、−３、３、−３、３、−１、−３、−１、１、３、−３である、請求項１に記載の方法。
【請求項４】
前記アップリンク信号基本系列の
【数２８１】
2020533907.tif 000337
の値は、３、−１、３、−１、３、３、−１、−１、３、３、３、３である、請求項１に記載の方法。
【請求項５】
前記アップリンク信号基本系列の
【数２８２】
2020533907.tif 000338
の値は、−３、３、−１、−３、−１、−３、−３、３、−３、−１、１、３である、請求項１に記載の方法。
【請求項６】
前記アップリンク信号基本系列の
【数２８３】
2020533907.tif 000339
の値は、１、１、−１、−１、３、３、−３、−３、１、−３、１、−３である、請求項１に記載の方法。
【請求項７】
前記アップリンク信号基本系列の
【数２８４】
2020533907.tif 000340
の値は、１、−３、１、−３、１、１、３、３、−１、−１、−３、−３である、請求項１に記載の方法。
【請求項８】
前記アップリンク信号基本系列の
【数２８５】
2020533907.tif 000341
の値は、−１、−３、−１、１、−１、１、３、１、−１、１、−１、−３である、請求項１に記載の方法。
【請求項９】
前記アップリンク信号基本系列の
【数２８６】
2020533907.tif 000342
の値は、３、−１、１、−３、−３、１、−１、３、３、３、３、３である、請求項１に記載の方法。
【請求項１０】
前記アップリンク信号基本系列の
【数２８７】
2020533907.tif 000343
の値は、−１、１、１、３、１、３、−１、１、−１、−３、３、１である、請求項１に記載の方法。
【請求項１１】
前記アップリンク信号基本系列の
【数２８８】
2020533907.tif 000344
の値は、１、３、−１、１、−１、１、１、３、１、−１、−３、３である、請求項１に記載の方法。
【請求項１２】
前記アップリンク信号基本系列の
【数２８９】
2020533907.tif 000345
の値は、−１、３、１、−３、−３、１、３、−１、−１、−１、−１、−１である、請求項１に記載の方法。
【請求項１３】
前記アップリンク信号基本系列の
【数２９０】
2020533907.tif 000346
の値は、３、３、１、１、１、１、３、−３、１、−３、３、−１であり、または、
前記アップリンク信号基本系列の
【数２９１】
2020533907.tif 000347
の値は、１、１、１、−３、−３、−３、１、−３、−３、１、−３、−３であり、または、
前記アップリンク信号基本系列の
【数２９２】
2020533907.tif 000348
の値は、−１、１、３、−３、−１、−３、１、−１、１、−１、−１、−３であり、または、
前記アップリンク信号基本系列の
【数２９３】
2020533907.tif 000349
の値は、３、３、１、１、１、３、−３、１、−３、１、−１、３であり、または、
前記アップリンク信号基本系列の
【数２９４】
2020533907.tif 000350
の値は、１、−３、−３、−３、１、１、１、−３、１、１、−３、１であり、または、
前記アップリンク信号基本系列の
【数２９５】
2020533907.tif 000351
の値は、−３、−１、３、−３、−１、１、１、１、−１、−３、１、−１であり、または、
前記アップリンク信号基本系列の
【数２９６】
2020533907.tif 000352
の値は、３、１、１、−１、−３、３、−１、３、−３、−１、−１、１であり、または、
前記アップリンク信号基本系列の
【数２９７】
2020533907.tif 000353
の値は、−３、３、−１、−３、３、１、１、１、３、−３、１、３であり、または、
前記アップリンク信号基本系列の
【数２９８】
2020533907.tif 000354
の値は、１、−３、３、−１、３、−１、１、３、３、３、１、１であり、または、
前記アップリンク信号基本系列の
【数２９９】
2020533907.tif 000355
の値は、−３、−３、−３、−３、−３、１、−１、３、３、−１、１、−３であり、または、
前記アップリンク信号基本系列の
【数３００】
2020533907.tif 000356
の値は、−３、−３、−３、−３、１、−３、１、１、−３、−３、１、１であり、または、
前記アップリンク信号基本系列の
【数３０１】
2020533907.tif 000357
の値は、−３、−３、−１、−１、３、３、１、１、−３、１、−３、１であり、または、
前記アップリンク信号基本系列の
【数３０２】
2020533907.tif 000358
の値は、−１、−１、−１、−１、−１、３、−３、１、１、−３、３、−１であり、または、
前記アップリンク信号基本系列の
【数３０３】
2020533907.tif 000359
の値は、１、−３、−１、３、−１、３、１、−１、−１、−１、１、１であり、または、
前記アップリンク信号基本系列の
【数３０４】
2020533907.tif 000360
の値は、１、３、−１、１、３、３、３、１、−１、−３、１、−１であり、または、
前記アップリンク信号基本系列の
【数３０５】
2020533907.tif 000361
の値は、−３、−１、１、３、−３、３、３、１、３、１、−３、３であり、または、
前記アップリンク信号基本系列の
【数３０６】
2020533907.tif 000362
の値は、１、−３、３、−１、３、−３、−１、−１、−１、−１、−３、−３であり、または、
前記アップリンク信号基本系列の
【数３０７】
2020533907.tif 000363
の値は、−３、３、１、３、１、−１、１、３、１、３、−３、３であり、または、
前記アップリンク信号基本系列の
【数３０８】
2020533907.tif 000364
の値は、−３、−３、−１、−１、−１、−３、３、−１、３、−１、１、−３であり、または、
前記アップリンク信号基本系列の
【数３０９】
2020533907.tif 000365
の値は、−３、−３、３、１、−３、−３、−３、−１、３、−１、１、３であり、または、
前記アップリンク信号基本系列の
【数３１０】
2020533907.tif 000366
の値は、１、１、−１、−３、−３、−１、１、３、−１、３、１、−３であり、または、
前記アップリンク信号基本系列の
【数３１１】
2020533907.tif 000367
の値は、−３、１、−１、−３、３、３、３、−３、−３、−１、３、−３であり、または、
前記アップリンク信号基本系列の
【数３１２】
2020533907.tif 000368
の値は、３、１、１、−１、３、１、−３、１、３、−３、−１、−１であり、または、
前記アップリンク信号基本系列の
【数３１３】
2020533907.tif 000369
の値は、１、１、３、３、−１、−３、１、３、−１、−１、−３、−３であり、または、
前記アップリンク信号基本系列の
【数３１４】
2020533907.tif 000370
の値は、−１、−１、−１、−１、１、−３、−１、３、３、−１、−３、１であり、または、
前記アップリンク信号基本系列の
【数３１５】
2020533907.tif 000371
の値は、３、１、３、−３、３、−３、−１、−３、３、−３、３、１である、請求項１に記載の方法。
【請求項１４】
メモリと、プロセッサと、トランシーバと、メモリに記憶されてプロセッサで実行可能なプログラムを含む端末において、
前記プロセッサは、前記プログラムを実行すると、請求項１〜１３のいずれか一項に記載のアップリンク信号系列生成方法のステップを実現する、端末。
【請求項１５】
メモリと、プロセッサと、トランシーバと、メモリに記憶されてプロセッサで実行可能なプログラムを含む基地局において、
前記プロセッサは、前記プログラムを実行すると、請求項１〜１３のいずれか一項に記載のアップリンク信号系列生成方法のステップを実現する、基地局。
【国際調査報告】
2020533907.tif 000372
2020533907.tif 000373
2020533907.tif 000374
2020533907.tif 000375